(57)【特許請求の範囲】
【請求項１】
画像を入力する画像入力手段と、入力した画像を記録媒体上に再現する画像再現手段を備えるとともに、前記画像の再現機能以外の機能を追加するために外部との通信手段を有した装着可能な拡張ユニットを備えた画像形成装置において、
前記装置の動作を制御するプロセッサが、前記拡張ユニットの装着状態を判断すると共に、前記拡張ユニットの通信手段を監視し、
前記装置における待機状態の消費電力の供給は、前記プロセッサが、前記拡張ユニットが装着されていないと判断した場合は、前記プロセッサに供給される前記拡張ユニットの通信手段を監視するための電力も含めて電力供給を止め、前記プロセッサが、前記拡張ユニットが装着されていると判断した場合は、前記プロセッサに前記拡張ユニットの通信手段を監視するための電力を供給することを特徴とする画像形成装置。
【請求項２】
画像を入力する画像入力手段と、入力した画像を記録媒体上に再現する画像再現手段を備えるとともに、前記画像の再現機能以外の機能を追加するために外部との通信手段を有した装着可能な拡張ユニットを備えた画像形成装置において、
前記装置の負荷や前記装置の動作を制御するプロセッサに電力を供給する電源ユニットを有し、
前記プロセッサが、前記拡張ユニットの装着状態を判断すると共に、前記拡張ユニットの通信手段を監視し、
前記電源ユニットは、前記装置の待機状態において、前記プロセッサが、前記拡張ユニットが装着されていないと判断した場合は前記プロセッサへ前記拡張ユニットの通信手段を監視するための電力の供給を行わず、前記プロセッサが、前記拡張ユニットが装着されていると判断した場合は前記プロセッサに前記拡張ユニットの通信手段を監視するための電力を供給することを特徴とする画像形成装置。
【請求項３】
前記拡張ユニットは、ファクシミリ機能を持つユニット、プリンタ機能を持つユニット及びネットワーク接続機能を持つユニットのうち少なくとも何れかのユニットであることを特徴とする請求項１または２記載の画像形成装置。
【請求項４】
前記拡張ユニットを装着しないときの待機状態の電力供給設定では、前記外部からの通信があっても前記待機状態を解除しないことを特徴とする請求項１ないし３何れか記載の画像形成装置。
【請求項５】
前記拡張ユニットを装着したときの待機状態の電力供給設定では、前記外部からの通信があった場合は待機状態を解除することを特徴とする請求項１ないし４何れか記載の画像形成装置。
【請求項６】
画像を入力する画像入力手段と、入力した画像を記録媒体上に再現する画像再現手段を備えるとともに、前記画像の再現機能以外の機能を追加するために外部との通信手段を有した装着可能な拡張ユニットを備えた画像形成装置の制御方法であって、
前記装置の動作を制御するプロセッサが、前記拡張ユニットの装着状態を判断すると共に、前記拡張ユニットの通信手段を監視し、前記装置における待機状態の消費電力の供給は、前記プロセッサが、前記拡張ユニットが装着されていないと判断した場合は、前記プロセッサに供給される前記拡張ユニットの通信手段を監視するための電力も含めて電力供給を止め、前記プロセッサが、前記拡張ユニットが装着されていると判断した場合は、前記プロセッサに前記拡張ユニットの通信手段を監視するための電力を供給するように制御することを特徴とする画像形成装置の制御方法。
【請求項７】
画像を入力する画像入力手段と、入力した画像を記録媒体上に再現する画像再現手段を備えるとともに、前記画像の再現機能以外の機能を追加するために外部との通信手段を有した装着可能な拡張ユニットと、装置の負荷や装置の動作を制御するプロセッサに電力を供給する電源ユニットとを備えた画像形成装置の制御方法であって、
前記プロセッサが、前記拡張ユニットの装着状態を判断すると共に、前記拡張ユニットの通信手段を監視し、前記電源ユニットは、前記装置の待機状態において、前記プロセッサが、前記拡張ユニットが装着されていないと判断した場合は前記プロセッサへ前記拡張ユニットの通信手段を監視するための電力の供給を行わず、前記プロセッサが、前記拡張ユニットが装着されていると判断した場合は前記プロセッサに前記拡張ユニットの通信手段を監視するための電力を供給するように制御することを特徴とする画像形成装置の制御方法。
【請求項８】
前記拡張ユニットとして、ファクシミリ機能を持つユニット、プリンタ機能を持つユニット及びネットワーク接続機能を持つユニットのうち少なくとも何れかのユニットを接続可能にしたことを特徴とする請求項６または７記載の画像形成装置の制御方法。
【請求項９】
前記拡張ユニットを装着しないときの待機状態の電力供給設定では、前記外部からの通信があっても前記待機状態を解除しないようにしたことを特徴とする請求項６ないし８何れか記載の画像形成装置の制御方法。
【請求項１０】
前記拡張ユニットを装着したときの待機状態の電力供給設定では、前記外部からの通信があった場合は待機状態を解除するようにしたことを特徴とする請求項６ないし９何れか記載の画像形成装置の制御方法。
【発明の詳細な説明】
【０００１】
【発明の属する技術分野】
本発明は、特にデジタル画像データを取り扱う画像形成装置であって、ＦＡＸ（ファクシミリ）機能やプリンタ機能を併せ持つことが可能な複合機能を有する画像形成装置及びその制御方法に関するものである。
【０００２】
【従来の技術】
従来、デジタル複写機などにおいては、単なる複写機能だけではなく、ＦＡＸ機能やプリンタ機能などを併せ持つことのできる複合機能を有するものが提案されている。このような複合機器においては、通常基本的な複写機能のみを持つモデルを基本とし、その他の機能を追加するための追加モジュールを増設することで、複合機に発展可能な構成をとるものが多い。
【０００３】
また、近年では、このような複合機器においても、資源の節約や地球温暖化を防止するため、さまざまな省エネルギー対応の必要が増してきている。
【０００４】
【発明が解決しようとする課題】
上記のような従来の製品においては、複合機の場合の省エネルギー設定に関して、複合機能を実現する追加モジュールをすべて実装した状態を基本としていた。また、追加モジュールで実現される機能については、ネットワークあるいはその他のインターフェースでホストコンピュータと接続されるプリンタ機能や、電話回線に接続されるＦＡＸ機能などがあるが、このような通信機能を含む拡張機能においては、装置が省エネルギー設定で待機状態にあっても、外部からの要因で動作状態に復帰できるように、インターフェース回路及びＣＰＵに電力を維持して待機していた。
【０００５】
ところが、このような拡張機能を省いた基本構成の場合でも、省エネルギーの設定は共通な構成をとっていたため、例えば外部から復帰動作を要求する要因がこないのに余分な回路に電力を供給することになっていて、無駄な電力を消費していた。
【０００６】
本発明は、上記のような問題点に着目してなされたもので、余分な回路に電力を供給するのをなくすことができ、無駄な電力消費を省くことが可能な画像形成装置及びその制御方法を提供することを目的としている。
【０００７】
【課題を解決するための手段】
本発明に係る画像形成装置及びその制御方法は、次のように構成したものである。
【０００８】
（１）画像を入力する画像入力手段と、入力した画像を記録媒体上に再現する画像再現手段を備えるとともに、前記画像の再現機能以外の機能を追加するために外部との通信手段を有した装着可能な拡張ユニットを備えた画像形成装置において、前記装置の動作を制御するプロセッサが、前記拡張ユニットの装着状態を判断すると共に、前記拡張ユニットの通信手段を監視し、前記装置における待機状態の消費電力の供給は、前記プロセッサが、前記拡張ユニットが装着されていないと判断した場合は、前記プロセッサに供給される前記拡張ユニットの通信手段を監視するための電力も含めて電力供給を止め、前記プロセッサが、前記拡張ユニットが装着されていると判断した場合は、前記プロセッサに前記拡張ユニットの通信手段を監視するための電力を供給するようにした。
（２）画像を入力する画像入力手段と、入力した画像を記録媒体上に再現する画像再現手段を備えるとともに、前記画像の再現機能以外の機能を追加するために外部との通信手段を有した装着可能な拡張ユニットを備えた画像形成装置において、前記装置の負荷や前記装置の動作を制御するプロセッサに電力を供給する電源ユニットを有し、前記プロセッサが、前記拡張ユニットの装着状態を判断すると共に、前記拡張ユニットの通信手段を監視し、前記電源ユニットは、前記装置の待機状態において、前記プロセッサが、前記拡張ユニットが装着されていないと判断した場合は前記プロセッサへ前記拡張ユニットの通信手段を監視するための電力の供給を行わず、前記プロセッサが、前記拡張ユニットが装着されていると判断した場合は前記プロセッサに前記拡張ユニットの通信手段を監視するための電力を供給するようにした。
（３）上記（１）または（２）の構成において、前記拡張ユニットは、ファクシミリ機能を持つユニット、プリンタ機能を持つユニット及びネットワーク接続機能を持つユニットのうち少なくとも何れかのユニットであるようにした。
（４）上記（１）ないし（３）何れかの構成において、前記拡張ユニットを装着しないときの待機状態の電力供給設定では、前記外部からの通信があっても前記待機状態を解除しないようにした。
（５）上記（１）ないし（４）何れかの構成において、前記拡張ユニットを装着したときの待機状態の電力供給設定では、前記外部からの通信があった場合は待機状態を解除するようにした。
（６）画像を入力する画像入力手段と、入力した画像を記録媒体上に再現する画像再現手段を備えるとともに、前記画像の再現機能以外の機能を追加するために外部との通信手段を有した装着可能な拡張ユニットを備えた画像形成装置の制御方法であって、前記装置の動作を制御するプロセッサが、前記拡張ユニットの装着状態を判断すると共に、前記拡張ユニットの通信手段を監視し、前記装置における待機状態の消費電力の供給は、前記プロセッサが、前記拡張ユニットが装着されていないと判断した場合は、前記プロセッサに供給される前記拡張ユニットの通信手段を監視するための電力も含めて電力供給を止め、前記プロセッサが、前記拡張ユニットが装着されていると判断した場合は、前記プロセッサに前記拡張ユニットの通信手段を監視するための電力を供給するように制御するようにした。
（７）画像を入力する画像入力手段と、入力した画像を記録媒体上に再現する画像再現手段を備えるとともに、前記画像の再現機能以外の機能を追加するために外部との通信手段を有した装着可能な拡張ユニットと、装置の負荷や装置の動作を制御するプロセッサに電力を供給する電源ユニットとを備えた画像形成装置の制御方法であって、前記プロセッサが、前記拡張ユニットの装着状態を判断すると共に、前記拡張ユニットの通信手段を監視し、前記電源ユニットは、前記装置の待機状態において、前記プロセッサが、前記拡張ユニットが装着されていないと判断した場合は前記プロセッサへ前記拡張ユニットの通信手段を監視するための電力の供給を行わず、前記プロセッサが、前記拡張ユニットが装着されていると判断した場合は前記プロセッサに前記拡張ユニットの通信手段を監視するための電力を供給するように制御するようにした。
（８）上記（６）または（７）の構成において、前記拡張ユニットとして、ファクシミリ機能を持つユニット、プリンタ機能を持つユニット及びネットワーク接続機能を持つユニットのうち少なくとも何れかのユニットを接続可能にした。
（９）上記（６）ないし（８）何れかの構成において、前記拡張ユニットを装着しないときの待機状態の電力供給設定では、前記外部からの通信があっても前記待機状態を解除しないようにした。
（１０）上記（６）ないし（９）何れかの構成において、前記拡張ユニットを装着したときの待機状態の電力供給設定では、前記外部からの通信があった場合は待機状態を解除するようにした。
【００２０】
【発明の実施の形態】
図１は本発明の実施例の画像形成装置のシステム構成を示すブロック図である。同図において、１はシステム全体を制御するＣＰＵ（プロセッサ）、２はデータや画像信号などを記憶するメモリであるＲＡＭ、３はプログラムやデータを記憶している不揮発性メモリであるＲＯＭ、４は各種信号の入出力を行うＩ／Ｏポートである。
【００２１】
５は不図示のスキャナユニットから画像を受信するとともにコマンドのやり取りを行うスキャナインターフェース、６は不図示のプリンタユニットに画像を送るとともにコマンドのやり取りを行うプリンタインターフェース、７は装置の内部クロック信号を生成するクロックジェネレータ、８は電源ユニットで、詳細は後述する。
【００２２】
９は公衆網と接続されたＦＡＸユニット、１０はＰＤＬプリンタ用の描画を高速化するためのＰＤＬユニット、１１はＬＡＮ（ローカルエリアネットワーク）インターフェース、１２はパラレルインターフェース、１３はユーザインターフェース、１４はハードディスクである。
【００２３】
上記の各ブロックのうち、基本構成である複写機機能のみの場合に装着されないのは、ＦＡＸユニット９、ＰＤＬユニット１０、ＬＡＮインターフェース１１、及びパラレルインターフェース１２である。
【００２４】
本実施例の画像形成装置は、原稿を光学的に走査して原稿を表す画像信号を生成する画像入力手段としてスキャナユニット、その画像信号を記録媒体上に再現する画像再現（形成）手段としてプリンタユニットを備えた画像形成装置であり、また画像再現機能以外の機能を追加するためのユニットでかつ装置外部との通信手段を持った拡張ユニットを装着可能となっている。そして、拡張ユニットを装着しないときの第１の待機状態の電力供給設定は、その拡張ユニットを装着したときの第２の待機状態の電力供給設定よりも、その拡張ユニットの動作電力を除いた残りの装置の電力に対してより小さな消費電力になるように設定している。
【００２５】
すなわち、ＣＰＵ１は、本画像形成装置を制御するものであり、ＲＯＭ３に記憶されているプログラムにしたがって処理を行う。基本構成のときには、スキャナインターフェース５でスキャナユニットと通信して原稿画像を読み取り、その画像信号を受信してＲＡＭ２に記憶し、続いてプリンタインターフェース６を介してプリンタユニットに画像信号を送り、記録媒体に画像形成を行って複写動作を実現する。またこのとき、画像データをハードディスク１４に記憶させることにより、ページ順を入れ替えたり複数の部数を順次印刷したりするなどのソータ機能を実現する。
【００２６】
Ｉ／Ｏポート４は、クロックジェネレータ７の設定、電源ユニット８の設定などを行うものである。スキャナインターフェース５は、スキャナユニットとの間でコマンドをシリアル通信によりやり取りすることと、読み取った画像信号を転送して受信する機能を持つ。プリンタインターフェース６は、プリンタユニットとの間でコマンドをシリアル通信によりやり取りすることと、画像信号を転送して送る機能を持つ。
【００２７】
クロックジェネレータ７は、各部で使用する各種クロックの生成を行うものであり、特にシステムクロックとして動作時には９０ＭＨｚのクロックを供給するとともに、Ｉ／Ｏポート４からの制御にしたがってクロックの周波数を変えたり、クロックを停止する機能を有している。
【００２８】
電源ユニット８は、ＡＣ１００Ｖを一次入力とし、ＤＣ３．３Ｖ，５Ｖ，１２Ｖを生成する電源である。ＦＡＸユニット９は、本画像形成装置にＦＡＸ機能を付加するものであり、スキャナユニットから得た画像信号を表す画像データを符号化し、公衆回線を介して他のＦＡＸに送信し、また他のＦＡＸから送られてくる画像データを受信して復号化し、プリンタユニットに送ることで、受信画像を形成する機能を有している。
【００２９】
ＰＤＬユニット１０は、本画像形成装置にＰＤＬプリンタ機能を付加するものであり、ホストコンピュータなどから送られてくるＰＤＬコードを解釈して印刷イメージのビットマップデータを生成し、プリンタユニットに送って画像形成を行う。
【００３０】
パラレルインターフェース１２は、ホストコンピュータと双方向に通信可能なインターフェースであり、ホストコンピュータから装置の状態を問い合わせたり、ＰＤＬプリンタとしてＰＤＬコードをホストコンピュータから受信したりする動作を行う。ユーザインターフェース１３は、本画像形成装置を使用するユーザが動作を指示するための操作部の入出力を行うものであり、液晶表示パネルに対して画面表示を行ったり、タッチスクリーンやテンキーなどからのキー入力を受け付けて装置の動作を制御するものである。
【００３１】
ハードディスク１４は、ＣＰＵ１０１の使用するプログラム、各種データ、スキャナユニットで読み取った画像データ、ＦＡＸ送受信の画像データなどを記憶するものである。
【００３２】
ここで、図１の破線で囲ってある二つのブロックに関しては、３．３ＶＡの電源供給だけあれば他の電源の供給がなされていなくても最小限の動作が行えるブロックである。それ以外のブロックのスキャナインターフェース５、プリンタインターフェース６、ＰＤＬユニット１０、ユーザインターフェース１３、ハードディスク１４については、３．３ＶＢ，５Ｖ，１２Ｖの少なくとも一つ以上を必要とするブロックである。
【００３３】
そして、本実施例では、上記のような構成において、ＣＰＵ１から消費電力に関する設定を行うことができる。ＦＡＸユニット９、ＰＤＬユニット１０、ＬＡＮインターフェース１１、及びパラレルインターフェース１２を装着しないで、複写機能のみの基本構成のときに設定する消費電力の項目を表１に示す。
【００３４】
【表１】
0004046917.tif 000002
通常モードは、普通に複写動作を行うことのできる状態であって、基本的に必要な電源はすべて供給されており、またシステムクロックも標準の９０ＭＨｚで動作している。節電モードになると、１２Ｖ系の電源の供給を止めて電力消費を抑える。スリープモードでは、基本的にほとんどすべての電源を切った状態で、スリープから復帰するための最小限の回路のみ電源が供給されている。結果的に、スリープモードでの二次側の消費電力はほとんどなくなる状態が実現される。
【００３５】
ここで、１２Ｖはモータやヒータなどの消費電力の大きな負荷を駆動する電源系統であり、５Ｖ，３．３ＶＢは通常回路の電源、３．３ＶＡはＣＰＵ１の動作に必要となる回路に供給される電源であり、ＣＰＵ１、ＲＡＭ２、ＲＯＭ３、及びＦＡＸユニット９の着信検出部分、ＬＡＮインターフェース１１、パラレルインターフェース１２などに供給される。
【００３６】
図２は電源ユニット８の回路構成を示したものである。同図中、２１はスイッチ、２２〜２５はＦＥＴ、２６はスイッチング電源、２７はトランジスタ、２８はバッファである。
【００３７】
スイッチング電源２６は、ＡＣ１００Ｖから３．３Ｖ，５Ｖ，１２Ｖを生成するものであり、同図に示すように各電源ラインに対して出力を制御できるようにＦＥＴ２２〜２５が入っており、Ｉ／Ｏポート４からの制御信号ＰＷＲ１，ＰＷＲ２で各電源出力をオン（ＯＮ），オフ（ＯＦＦ）することができる。このうち、３．３ＶＡについては、スイッチ２１およびトランジスタ２７により、ＣＰＵ１の制御以外にＦＥＴ２２をオンにすることができる。
【００３８】
スイッチ２１は操作部に設けられた押しボタンスイッチであり、スリープモードですべての電源が切られている状態から復帰する場合に使用される。スリープモードでスイッチ２１が押されると、上述のとおりＦＥＴ２２がオンし、３．３ＶＡの供給が開始される。ＣＰＵ１は電源が入って起動し、Ｉ／Ｏポート４に対して制御信号ＰＷＲ１，ＰＷＲ２をＬ（低レベル）になるように制御することによって、すべての電源を立ち上げることが実現される。
【００３９】
また、電源が入っている状態（ＦＥＴがオンの状態）でスイッチ２１を押された場合、同スイッチはバッファ２８を介してＣＰＵ１の割込み入力につながっており、スイッチが押されたことをを検出でき、電源が入っている状態で押されたならばスリープモードになるようにＩ／Ｏポートを制御するように動作する。
【００４０】
システムクロックは、クロックジェネレータ７で生成するクロックのうちＣＰＵ１、ＲＡＭ２、ＲＯＭ３などが動作するための基本クロックであり、通常動作時には９０ＭＨｚで動作させることにより所定の処理性能を達成する。なお、クロックジェネレータ７は、その他のクロックとしてバスクロック３０ＭＨｚや液晶コントローラ用クロック２４ＭＨｚなどいくつかの周波数を生成するが、ここでは代表としてシステムクロックだけをとりあげておく。
【００４１】
基本構成時では、スリープモードに入った場合はユーザから電源スイッチで再起動される以外、特にＣＰＵ１の処理は必要ではないため、３．３ＶＡの電源系統もオフにする。このとき、クロックジェネレータ７の電源も切れるため、周波数は定義されていない。
【００４２】
ここで、本装置において、ＦＡＸユニット９あるいはＰＤＬユニット１０とＬＡＮインターフェース１１、パラレルインターフェース１２を装着し、基本機能を拡張した拡張機能構成の場合の動作モードを表２に示す。
【００４３】
【表２】
0004046917.tif 000003
通常モード、節電モードの設定に関しては基本構成時と同じであるが、スリープモードの設定が変更され、３．３ＶＡをオンにしたままにすることによって、通信に必要なＣＰＵ１及びインターフェース部分の電源を生かしたままにする。また、このとき同時に、システムクロックの周波数を通常の９０ＭＨｚから６０ＭＨｚに低下させることで、電源供給のなされる回路の消費電流を低減するように設定する。
【００４４】
６０ＭＨｚでの動作は通常の動作には十分ではないが、ＦＡＸユニット９、ＬＡＮインターフェース１１、パラレルインターフェース１２を監視して着信データがあるかどうかを調べるために最小限必要な通信処理を行うには十分である。そして、着信データがあった場合は、ＣＰＵ１はスリープモードを解除し、通常モードに復帰して、所定の動作を継続する。
【００４５】
図３は本画像形成装置の起動時の処理の流れを示すフローチャートである。なお、このフローチャート及び修正する図４のフローチャートに示す制御処理は、図１のＣＰＵ１によってあらかじめＲＯＭ３に記憶されたプログラムにしたがって実行されるものである。
【００４６】
ステップＳ１で起動すると、ステップＳ２で電源の制御信号ＰＷＲ１，ＰＷＲ２をともにＬに設定してすべての電源供給を開始するとともに、システムクロックの設定を９０ＭＨｚにする。
【００４７】
次に、ステップＳ３において、ＦＡＸユニット９の装着状態を確認する。ＦＡＸユニット９があった場合はステップＳ６に進み、ＭＦＰ  ｆｌａｇにＴＲＵＥを設定し、続いてステップＳ８に進み、装置の初期化を行う。
【００４８】
ステップＳ３にてＦＡＸユニット９が装着されていなかった場合はステップＳ４に進み、ＬＡＮインターフェース１１の装着状態を確認する。ここでＬＡＮインターフェース１１があった場合はステップＳ６に進み、ＭＦＰ  ｆｌａｇにＴＲＵＥを設定し、続いてステップＳ８に進み、装置の初期化を行う。
【００４９】
ステップＳ４にてＬＡＮインターフェース１１が装着されていなかった場合は、ステップＳ５に進み、パラレルインターフェース１２の装着状態を確認する。ここでパラレルインターフェース１２があった場合はステップＳ６に進み、ＭＦＰ  ｆｌａｇにＴＲＵＥを設定し、続いてステップＳ８に進み、装置の初期化を行う。
【００５０】
ステップＳ５でパラレルインターフェース１２が装着されていなかった場合はステップＳ７に進み、ＭＦＰ  ｆｌａｇにＦＡＬＳＥを設定し、ステップＳ８で装置の初期化を行う。
【００５１】
以上のステップにより、ＦＡＸユニット９、ＬＡＮインターフェース１１、パラレルインターフェース１２の何れも装着されていなかった場合、ＭＦＰ  ｆｌａｇがＦＡＬＳＥとなり、基本的な複写機能のみの構成であることが記憶される。
【００５２】
次に、スリープ状態に入る場合の動作の概要を図４のフローチャートを用いて説明する。スリープに入る条件としては、一定時間以上アイドル状態を保ったか、あるいは操作部からユーザがスリープモードを指定したか、あるいは接続されているコンピュータからコマンドにより指示を受けた場合などがあるが、何れかの要因によってステップＳ１１に入ると、ステップＳ１２でＦＭＰ  ｆｌａｇの内容を確認する。
【００５３】
そして、ＭＦＰ  ｆｌａｇがＦＡＬＳＥであったならば基本的な複写機能のみの構成であって、外部要因によるスリープ解除の必要がないため、ステップＳ１５に進んで電源ユニット８の制御信号ＰＷＲ１，ＰＷＲ２を何れもＨ（高レベル）に設定する。これにより、電源ユニット８内のＦＥＴ２２〜２５がすべてオフになり、ＣＰＵ１を含むすべての回路に対する電源供給が止まり、消費電力は電源ユニット内の損失のみの状態になってスリープ状態となる。
【００５４】
一方、ステップＳ１２にてＭＦＰ  ｆｌａｇがＴＲＵＥであったならば、ステップＳ１３に進んで信号ＰＷＲ１がＬ、信号ＰＷＲ２がＨになるようにＩ／Ｏポート４を制御する。これで、信号ＰＷＲ２のみがＨになるため、電源ユニット８の出力のうち３．３ＶＡのみを残し、他の電源がオフになる。
【００５５】
次に、ステップＳ１４にてＩ／Ｏポート４に対してクロックジェネレータのシステムクロックが６０Ｍｚになるように設定を行う。これにより、電源供給がされている３．３ＶＡを使っているブロックの動作周波数が下がり、消費電力が少なくなり、スリープ状態となる。
【００５６】
このように、拡張ユニットを装着しない構成における第１の待機状態の設定が、その拡張ユニットを装着した状態における第２の待機状態の設定よりも、その拡張ユニットの電力を除いた残りの装置の電力で換算してより小さな消費電力になるように行われるように制御することにより、省エネルギー化を図っている。
【００５７】
【発明の効果】
以上説明したように、本発明によれば、余分な回路に電力を供給するのをなくすことができ、無駄な電力消費を省くことができるという効果がある。
【図面の簡単な説明】
【図１】  本発明の実施例のシステム構成を示すブロック図
【図２】  電源ユニットの回路構成を示す図
【図３】  起動時の処理の流れを示すフローチャート
【図４】  スリープ時の処理の流れを示すフローチャート
【符号の説明】
１  ＣＰＵ
２  ＲＡＭ
３  ＲＯＭ
４  Ｉ／Ｏポート
５  スキャナインターフェース
６  プリンタインターフェース
７  クロックジェネレータ
８  電源ユニット
９  ＦＡＸユニット
１０  ＰＤＬユニット
１１  ＬＡＮインターフェース
１２  パラレルインターフェース
１３  ユーザインターフェース
１４  ハードディスク
２１  スイッチ
２２  ＦＥＴ
２３  ＦＥＴ
２４  ＦＥＴ
２５  ＦＥＴ
２６  スイッチング電源
２７  トランジスタ
２８  バッファ
【図１】
0004046917.tif 000004
【図２】
0004046917.tif 000005
【図３】
0004046917.tif 000006
【図４】
0004046917.tif 000007